(57)【要約】【課題】簡単な室外機の筐体の構成により外部からの水滴が筐体内部、特に吹出グリル近傍のベルマウスまわりなどに侵入し凍結することによる送風性能の低下や異音の発生などを防止することを目的とする。【解決手段】前面パネル２を有する本体１と、本体１の天面を覆う天板３と、前面パネル２に取り付けられる吹出グリル６と、を備えた室外機であって、天板３は、天板３の周囲に形成された折曲片部３ａを有し、吹出グリル６は、吹出グリル６の側縁に形成された固定用片部６ａを有し、吹出グリル６の固定用片部６ａを前面パネル２と折曲片部３ａとの間に挟持して吹出グリル６を設置した。【選択図】図３
2015166647.tif 000002
【特許請求の範囲】
【請求項１】
前面側に前面パネルを有する本体と、前記本体の天面を覆う天板と、前記前面パネルに取り付けられる吹出グリルと、を備えた室外機であって、
前記天板は、該天板の周囲に形成された折曲片部を有し、
前記吹出グリルは、該吹出グリルの側縁に形成された固定用片部を有し、
前記吹出グリルの前記固定用片部を前記前面パネルと前記折曲片部との間に挟持して前記吹出グリルを設置したことを特徴とする室外機。
【請求項２】
前記吹出グリルは、前記固定用片部の下端から延設された傾斜舌部を有することを特徴とする請求項１に記載の室外機。
【請求項３】
前記傾斜舌部の上面は、前記本体の前面側に向かって下る勾配を備えたことを特徴とする請求項２に記載の室外機。
【請求項４】
前記傾斜舌部の上面は、前記本体の前面側から見て左右側のいずれか１方向に下る勾配を備えたことを特徴とする請求項２に記載の室外機。
【請求項５】
前記傾斜舌部の上面は、前記本体の前面側から見て左右側の両端に下る勾配を備えたことを特徴とする請求項２に記載の室外機。
【請求項６】
前記傾斜舌部は、前記本体の前面側に配置され、前記傾斜舌部から略垂直方向に立ち上がる突状片部を備えたことを特徴とする請求項２〜５のいずれか１項に記載の室外機。
【請求項７】
前記前面パネルの上縁には、前記前面パネルの構成面から段差を有して垂直段差部が形成され、
前記固定用片部を前記垂直段差部と前記折曲片部との間に挟持して前記吹出グリルを設置したことを特徴とする請求項１〜６のいずれか１項に記載の室外機。
【発明の詳細な説明】
【技術分野】
【０００１】
本発明は、空気調和機の室外機に係り、特にファンとベルマウスとの間で水滴が凍結するのを防ぐことができる空気調和機の室外機に関するものである。
【背景技術】
【０００２】
空気調和機の室外機は、暖房運転時に雨や雪などによる水滴が筐体の内部に侵入した際に外気温度が低いと、ファンとベルマウスとの間で水滴が凍結し、ファンの正常な回転を妨げたり、また、異音が発生したりする場合がある。
そこで、従来の空気調和機の室外機では、吹出グリルを筐体の前面パネルに取り付ける際に、前面パネルの吹出し開口の周囲に突出部を設け、吹出グリルにはこの突出部に当接する防水部（傾斜部）を形成し、これら２部材を密着させることで雨水等の水滴が吹出グリル内のベルマウス等に侵入することを防止している（例えば特許文献１を参照）。
【先行技術文献】
【特許文献】
【０００３】
【特許文献１】特開平０８−１７８３６５号公報（図１、２等を参照）
【発明の概要】
【発明が解決しようとする課題】
【０００４】
しかしながら、従来の空気調和機の室外機は、前面パネルの吹出し開口の周囲に設けた突出部と、吹出グリルに設けた防水部（傾斜部）とを密着させて筐体内への水滴の浸入を防いでいるため、前面パネルや吹出グリルの成形加工時にソリや変形が生じた際には突出部と防水部との間に隙間ができ、水滴の侵入を防止することができなくなるという問題があった。また、室外機が設置された後、経年変化により前面パネルや吹出グリルの形状が変形してしまった場合にも同様に防水性能を担保することができなかった。
【０００５】
本発明は、上記のような課題を解決するためになされたもので、簡単な室外機の筐体の構成により外部からの水滴が筐体内部、特に吹出グリル近傍のベルマウスまわりなどに侵入し凍結することによる送風性能の低下や異音の発生などを防止することを目的とする。
【課題を解決するための手段】
【０００６】
本発明に係る室外機は、前面パネルを有する本体と、本体の天面を覆う天板と、前面パネルに取り付けられる吹出グリルと、を備えた室外機であって、天板は、天板の周囲に形成された折曲片部を有し、吹出グリルは、吹出グリルの側縁に形成された固定用片部を有し、吹出グリルの固定用片部を前面パネルと折曲片部との間に挟持して吹出グリルを設置したものである。
【発明の効果】
【０００７】
本発明に係る室外機によれば、吹出グリルの固定用片部を前面パネルと天板の折曲片部との間に挟持して吹出グリルを設置したため、簡単な室外機の筐体の構成により外部からの水滴が筐体内部、特に吹出グリル近傍のベルマウスまわりなどに侵入し凍結することによる送風性能の低下や異音の発生などを防止することが可能となる。
【図面の簡単な説明】
【０００８】
【図１】実施の形態１に係る室外機の分解斜視図である。
【図２】実施の形態１に係る室外機の外観斜視図である。
【図３】実施の形態１に係る室外機の前面パネル部分の断面図である。
【図４】実施の形態２に係る室外機の外観斜視図である。
【図５】実施の形態２に係る室外機の前面パネル部分の断面図である。
【図６】実施の形態３に係る室外機の前面パネル部分の断面図である。
【発明を実施するための形態】
【０００９】
以下、本発明に係る室外機について、図面を用いて説明する。
なお、以下で説明する構成は、一例であり、本発明に係る室外機は、そのような構成に限定されない。
また、細かい構造については、適宜図示を簡略化又は省略している。
また、重複又は類似する説明については、適宜簡略化又は省略している。
【００１０】
実施の形態１．
図１〜図３を用いて実施の形態１に係る室外機における構造の概要を説明する。
図１は、実施の形態１に係る室外機の分解斜視図である。
図２は、実施の形態１に係る室外機の外観斜視図である。
図３は、実施の形態１に係る室外機の前面パネル部分の断面図である。
図１に示すように、空気調和機の室外機の筐体は、箱形状の本体１の前面側を構成する前面パネル２と、天面を構成する天板３と、吹出グリル６と、を有する構造となっている。
前面パネル２には、吹出開口２ａが円形に開口し、吹出開口２ａの周囲には略円筒形状のベルマウス４が前面パネル２と一体に形成されている。
【００１１】
ベルマウス４の内部には、ベルマウス４の円筒形状に沿うようにファン５の翼が配置されている。また、本体１の前面パネル２に対向する背面側には熱交換器（図示しない）が配置されている。
本体１の天面側の周縁には、本体１の側壁面より筐体の内側に垂直面を有する垂直段差部１ａと、本体１の側壁面と垂直段差部１ａとを水平につなぐ水平段差部１ｂとが形成されている。垂直段差部１ａには天板３の外周に形成された折曲片部３ａが嵌合し、本体１の天面を塞ぎ室外機の筐体を形成する。このとき天板３の折曲片部３ａの外面は、本体１の側壁面と面一となる構成になっている。
【００１２】
吹出グリル６は、本体１の前面視において例えば矩形状をしており、複数の平板状のルーバー６ｃによってファン５が送風する熱交換用の外気が流通するように開口が設けられている。
吹出グリル６の上縁には、固定用片部６ａと、固定用片部６ａから連続して形成された傾斜舌部６ｂとが形成されている。
図３に示すように、固定用片部６ａは板状であり、吹出グリル６の背面側から上方に延設されている。また、固定用片部６ａは吹出グリル６の前面から見て吹出グリル６の幅方向に渡って形成されている。
【００１３】
固定用片部６ａは、本体１に取り付けられた際にその吹出し面が略垂直になるように本体１の前面パネル２における垂直段差部１ａに沿って固定される。
傾斜舌部６ｂは、固定用片部６ａの下端から本体１の前面側に向けて下勾配を有して延設されており、その前端部は複数のルーバー６ｃの前端部と略同一面を形成している。
これらの構成部材の材質は、例えば本体１と天板３は、鋼板製を採用することができ、吹出グリル６とファン５には樹脂製を採用することができるが、これらに限定されるものではない。
【００１４】
次に、実施の形態１に係る室外機の吹出グリル６まわりの組立手順について説明する。
はじめに、本体１における前面パネル２の吹出開口２ａを覆うように吹出グリル６を仮設置する。このとき、図３に示すように吹出グリル６の上縁に設けられた固定用片部６ａの背面側が本体１の前面パネル２における垂直段差部１ａの前面側に当接すると共に、固定用片部６ａの下面を本体１の水平段差部１ｂに当接するように仮設置する。
【００１５】
次に、天板３を本体１の上面側から被せ、天板３の折曲片部３ａを本体１の垂直段差部１ａに嵌合させる。すると、吹出グリル６の固定用片部６ａは、本体１の前面パネル２における垂直段差部１ａと天板３の折曲片部３ａとに挟まれて挟持される。このとき、傾斜舌部６ｂは固定用片部６ａの下端から本体１の前面側に向けて下勾配を有して延設した形状になっている。
最後に、吹出グリル６の下部を前面パネル２にねじ止めや係合爪などの係合手段により最終的に固定し、本体１に対する吹出グリル６の取り付けが完了する。
【００１６】
このように実施の形態１に係る室外機を組み立てると、吹出グリル６の傾斜舌部６ｂの上面は、固定用片部６ａが本体１に取り付けられた状態で天板３の折曲片部３ａの下方に位置し、本体１の前面側に下るような傾斜面を備えることになる。
【００１７】
次に、実施の形態１に係る室外機を運転した際の作用について説明する。
室外機のファン５を回転駆動すると、本体１の外部の外気を本体１の背面側から本体１内部に吸い込む。本体１の背面側には熱交換器（図示しない）が設置されており、室内機が冷房運転の時には凝縮器として機能し、室内機が暖房運転の時には蒸発器として機能する。
熱交換器を通過した外気は、ファン５の翼で室外機の本体１の前面側に送風され、円筒状のベルマウス４の内壁面側を通過して前面パネル２の吹出開口２ａから吹き出される。吹出開口２ａから吹き出された外気は、吹出グリル６のルーバー６ｃの間を通過し、室外機の本体１から排出される。
【００１８】
ここで、実施の形態１に係る室外機に雨や雪などによる水滴が落下した場合の水滴の流れについて説明する。
室外機の天板３上に降り注いだ雨や雪などの水滴は、図３に記載の天板３上から折曲片部３ａをつたい、吹出グリル６の傾斜舌部６ｂ上に落下する。傾斜舌部６ｂの上面は、本体１の前面側に下るような傾斜面を有しているため、水滴はこの傾斜舌部６ｂ上を本体１の前面側に向けて流れ、傾斜舌部６ｂの前端部から落下する。落下した水滴は、ルーバー６ｃの表面をつたって下方に落下するか、もしくはファン５が回転駆動されている場合には吹き出された気流に乗ってさらに本体１の前面側に運ばれ落下する。
【００１９】
実施の形態１に係る室外機の構成による効果について説明する。
本実施の形態１に係る室外機の筐体は、上記のように吹出グリル６の固定用片部６ａを本体１の前面パネル２における垂直段差部１ａと天板３の折曲片部３ａとの間に挟むように設置したことで、傾斜舌部６ｂ上に降り注いだ雨や雪などの水滴が固定用片部６ａに堰き止められ、本体１の内部に侵入することがない。
【００２０】
雨や雪などの天候で特に室外機の熱交換器が蒸発器として機能している場合、熱交換器を通過した後の空気温度が低下し、本体１内に水滴が存在すると凍結する可能性がある。特に、ファン５まわりのベルマウス４等に凍結が発生するとファン５の送風性能の低下や、異音の発生、ファン５の破損などが起こることがあるが、本実施の形態１に係る室外機の筐体は、ベルマウス４まわりに水滴が侵入することがないため、ファン５の送風性能の確保や、ファン５の破損を防止することができる。また、前面パネル２や吹出グリル６にソリや変形が生じたとしても折曲片部３ａと前面パネル２における垂直段差部１ａとの間に固定用片部６ａが配置されている限り水滴がベルマウス４側に流れ落ちることがないため、上記と同様の効果を得ることができる。
【００２１】
実施の形態２．
図４、図５を用いて実施の形態２に係る室外機における構造の概要を説明する。
図４は、実施の形態２に係る室外機の外観斜視図である。
図５は、実施の形態２に係る室外機の前面パネル部分の断面図である。
実施の形態２に係る室外機は、吹出グリル６の固定用片部６ａを本体１の前面パネル２における垂直段差部１ａと天板３の折曲片部３ａとの間に挟む基本的な構成で実施の形態１に係る室外機と同一である。しかし、実施の形態１に係る固定用片部６ａの下端から傾斜舌部６ｂを本体１の前面側に延設した吹出グリル６に対して、実施の形態２ではこの吹出グリル６の上縁の構成が異なっている。したがって、実施の形態１に係る吹出グリル６と異なる点を説明する。
【００２２】
実施の形態２に係る室外機の吹出グリル６の上縁は図４に示すように、中央が高く、左右方向が下がるように傾斜した左右傾斜舌部６ｄを備えている。左右傾斜舌部６ｄは、固定用片部６ａの下端から本体１の前面側に延設した構成となっている。
また、左右傾斜舌部６ｄは、図５に示すように前面パネル２の断面視において上面が水平な形状となっている。なお、左右傾斜舌部６ｄの上面は、このように前面パネル２の断面視において水平となる例を示したが、実施の形態１の傾斜舌部６ｂと同様に本体１の前面側に向けて下る傾斜をさらに備えていてもよい。
【００２３】
実施の形態２に係る室外機の吹出グリル６まわりの組立手順については実施の形態１と同様であるが、実施の形態２に係る室外機を組み立てると、図５に示すように吹出グリル６の左右傾斜舌部６ｄの上面が天板３の折曲片部３ａの下方に位置し、本体１の前面側から見て左右に下る傾斜面を備えることになる。
【００２４】
次に、実施の形態２に係る室外機に雨や雪などによる水滴が落下した場合の水滴の流れについて説明する。
室外機の天板３上に降り注いだ雨や雪などの水滴は、図５に記載の天板３上から折曲片部３ａをつたい、吹出グリル６の左右傾斜舌部６ｄ上に落下する。左右傾斜舌部６ｄの上面は、本体１の前面視で左右に下るような傾斜面を有しているため、水滴はこの左右傾斜舌部６ｄ上を左右に分かれて流れ、左右傾斜舌部６ｄの左右両端部から落下する。落下した水滴は、ルーバー６ｃの両端部をつたって下方に落下する。
なお、図４では、左右傾斜舌部６ｄの上面が本体１の前面視で左右側に下るような傾斜面を有する例を示したが、左右側の一方に下る勾配を有する傾斜面を備えていてもよい。
【００２５】
実施の形態２に係る室外機の構成による効果について説明する。
本実施の形態２に係る室外機の筐体は、実施の形態１と同様に吹出グリル６の固定用片部６ａを本体１の前面パネル２における垂直段差部１ａと天板３の折曲片部３ａとの間に挟むように設置するとともに、固定用片部６ａの下端から左右傾斜舌部６ｄを本体１の前面側に延設した構成を採用したことで、左右傾斜舌部６ｄ上に降り注いだ雨や雪などの水滴が固定用片部６ａに堰き止められ、本体１の内部に侵入することがない。
【００２６】
雨や雪などの天候で特に室外機の熱交換器が蒸発器として機能している場合、熱交換器を通過した後の空気温度が低下し、本体１内に水滴が存在すると凍結する可能性がある。特に、ファン５まわりのベルマウス４等に凍結が発生するとファン５の送風性能の低下や、異音の発生、ファン５の破損などが起こることがあるが、実施の形態１と同様に、本実施の形態２に係る室外機の筐体は、ベルマウス４まわりに水滴が侵入することがないため、ファン５の送風性能の確保や、ファン５の破損を防止することができる。また、前面パネル２や吹出グリル６にソリや変形が生じたとしても折曲片部３ａと前面パネル２における垂直段差部１ａとの間に固定用片部６ａが配置されている限り水滴がベルマウス４側に流れ落ちることがないため、上記と同様の効果を得ることができる。
【００２７】
実施の形態３．
図６を用いて実施の形態３に係る室外機における構造の概要を説明する。
図６は、実施の形態３に係る室外機の前面パネル部分の断面図である。
実施の形態３に係る室外機は、吹出グリル６の固定用片部６ａを本体１の前面パネル２における垂直段差部１ａと天板３の折曲片部３ａとの間に挟む基本的な構成で実施の形態１及び２に係る室外機と同一であり、また、実施の形態２に係る左右傾斜舌部６ｄのように中央が高く、左右方向が下がるように傾斜した吹出グリル６の上縁の構成を備える点で共通している。したがって、実施の形態１及び２に係る吹出グリル６と異なる点を説明する。
【００２８】
実施の形態３に係る室外機の吹出グリル６の上縁は図４に示すように、中央が高く、左右方向が下がるように傾斜した左右傾斜舌部６ｄを備えている。左右傾斜舌部６ｄは、固定用片部６ａの下端から本体１の前面側に延設した構成となっている。
この左右傾斜舌部６ｄは、図６に示すように前面パネル２の断面視において本体１の前面側に配置され、左右傾斜舌部６ｄから略垂直方向に立ち上がる突状片部６ｅを一体として備えている。突状片部６ｅは、吹出グリル６の前面側から見て、吹出グリル６の幅方向に渡って形成されている。
【００２９】
また、左右傾斜舌部６ｄは、図６に示すように前面パネル２の断面視において上面が水平な形状となっている。なお、左右傾斜舌部６ｄの上面は、このように前面パネル２の断面視において水平となる例を示したが、実施の形態１の傾斜舌部６ｂと同様に本体１の前面側に向けて下る傾斜をさらに備えていてもよい。
【００３０】
実施の形態３に係る室外機の吹出グリル６まわりの組立手順については実施の形態１と同様であるが、実施の形態３に係る室外機を組み立てると、図６に示すように吹出グリル６の左右傾斜舌部６ｄの上面は、天板３の折曲片部３ａの下方に位置し、本体１の前面側から見て左右に下る傾斜面を備えるとともに、左右傾斜舌部６ｄの上面における本体１の前面側に突状片部６ｅが形成される。
【００３１】
次に、実施の形態３に係る室外機に雨や雪などによる水滴が落下した場合の水滴の流れについて説明する。
室外機の天板３上に降り注いだ雨や雪などの水滴は、図６に記載の天板３上から折曲片部３ａをつたい、吹出グリル６の左右傾斜舌部６ｄ上に落下する。左右傾斜舌部６ｄの上面は、本体１の前面視で左右に下るような傾斜面を有すると共に、前面側の端部に突状片部６ｅが形成されているため、水滴はこの左右傾斜舌部６ｄ上を左右に分かれて流れ、左右傾斜舌部６ｄの左右両端部から落下する。落下した水滴は、ルーバー６ｃの両端部をつたって下方に落下する。
【００３２】
実施の形態３に係る室外機の構成による効果について説明する。
本実施の形態３に係る室外機の筐体は、実施の形態１及び２と同様に吹出グリル６の固定用片部６ａを本体１の前面パネル２における垂直段差部１ａと天板３の折曲片部３ａとの間に挟むように設置するとともに、固定用片部６ａの下端から左右傾斜舌部６ｄを本体１の前面側に延設した構成を採用したことで、左右傾斜舌部６ｄ上に降り注いだ雨や雪などの水滴が固定用片部６ａに堰き止められ、本体１の内部に侵入することがない。
【００３３】
雨や雪などの天候で特に室外機の熱交換器が蒸発器として機能している場合、熱交換器を通過した後の空気温度が低下し、本体１内に水滴が存在すると凍結する可能性がある。特に、ファン５まわりのベルマウス４等に凍結が発生するとファン５の送風性能の低下や、異音の発生、ファン５の破損などが起こることがあるが、実施の形態１及び２と同様に、本実施の形態３に係る室外機の筐体は、ベルマウス４まわりに水滴が侵入することがないため、ファン５の送風性能の確保や、ファン５の破損を防止することができる。
【００３４】
また、前面パネル２や吹出グリル６にソリや変形が生じたとしても折曲片部３ａと前面パネル２における垂直段差部１ａとの間に固定用片部６ａが配置されている限り水滴がベルマウス４側に流れ落ちることがないため、上記と同様の効果を得ることができる。さらに、左右傾斜舌部６ｄの上面における本体１の前面側に突状片部６ｅが形成されているため、水滴が本体１の前面側に落下することがない。したがって、ファン５が回転駆動されている場合に吹き出された気流に乗って水滴が本体１の前面側に飛散することを防止することができる。
【００３５】
以上、実施の形態１〜３について説明したが、本発明は各実施の形態の説明に限定されず、各実施の形態の全て又は一部を組み合わせることも可能である。
【符号の説明】
【００３６】
１  本体、１ａ  垂直段差部、１ｂ  水平段差部、２  前面パネル、２ａ  吹出開口、３  天板、３ａ  折曲片部、４  ベルマウス、５  ファン、６  吹出グリル、６ａ  固定用片部、６ｂ  傾斜舌部、６ｃ  ルーバー、６ｄ  左右傾斜舌部、６ｅ  突状片部。
【図１】
2015166647.tif 000003
【図２】
2015166647.tif 000004
【図３】
2015166647.tif 000005
【図４】
2015166647.tif 000006
【図５】
2015166647.tif 000007
【図６】
2015166647.tif 000008